(57)【要約】複数のピクチャセル５０２を有する表示装置５００は、規則的な巡回型の反転スキームに位相変化を追加することで制御される。これにより、たとえばデインタレース画像、並びに回転するシンボル及び「ティッカーテープ」を含む画像によるＤＣビルドアップの問題点を克服することができる。制御は、ピクチャセルに関連する画像データを有する画像信号を受信することを含む。電場の極性が規則的なインターバルで極性の反転が生じるような第一の極性反転スキームに従って、及び、電場の極性が擬似ランダムなインターバルで極性の反転が生じるような、第一の極性反転スキームと共存する第二の極性反転スキームに従って、それぞれのピクチャセルにわたるそれぞれの電場は、少なくとも画像データに依存して制御される。
2008511855.tif 000002
【特許請求の範囲】
【請求項１】
複数のピクチャセルを有する表示装置を制御する方法であって、
前記複数のピクチャセルに関連する画像データを有する画像信号を受信するステップと、前記画像データは、フレームで時間的に配列されており、
少なくとも前記画像データに依存して、前記複数のピクチャセルにおけるそれぞれのピクチャセルにわたるそれぞれの電場を制御するステップとを含み、
前記制御するステップは、
第一の極性の反転スキームに従って、極性の反転が規則的なインターバルで生じるように、電場の極性を制御するステップと、前記規則的なインターバルは、固定された整数のフレーム周期であり、
前記第一の極性の反転スキームと共存する第二の極性の反転スキームに従って、極性の反転が擬似ランダムなインターバルで生じるように電場の極性を制御するステップと、前記擬似ランダムなインターバルは、それぞれ整数のフレーム周期である、
ことを特徴とする方法。
【請求項２】
前記第二のスキームに従う２つの連続する極性の反転の間でのフレーム周期の数は、予め決定された上限よりも少ない、
請求項１記載の方法。
【請求項３】
前記第二のスキームに従う２つの連続する極性の反転の間でのフレーム周期の数は、予め決定された下限よりも多い、
請求項１又は２記載の方法。
【請求項４】
前記第二のスキームに従う２つの連続する極性の反転の間でのフレーム周期の数は、偶数である、
請求項１乃至３のいずれか記載の方法。
【請求項５】
前記第二の極性の反転スキームは、多数のフレーム周期を考慮して、第一の方向における擬似ランダムの極性の反転数が前記第一の方向と反対の第二の方向における擬似ランダムの極性の反転数に実質的に等しい、
請求項１乃至３のいずれか記載の方法。
【請求項６】
前記第二のスキームに従う２つの連続する極性の反転の間のフレーム周期数は、インターバル４〜３６００にある、
請求項１乃至５のいずれか記載の方法。
【請求項７】
前記第二のスキームに従う２つの連続する極性の反転の間のフレーム周期数は、インターバル６０〜６００にある、
請求項６記載の方法。
【請求項８】
前記画像データを分析し、多数のフレーム間で少なくとも計算された相関値を得るステップを更に含み、
前記第二のスキームに従う２つの連続する極性の反転間のフレーム周期数は、画像データ分析からの結果に依存する、
請求項１乃至７のいずれか記載の方法。
【請求項９】
前記第二のスキームに従う２つの連続する極性の反転の間のフレーム周期の数は、本質的に無限の数に設定され、前記第二の反転スキームをディスエーブルにする、
請求項８記載の方法。
【請求項１０】
前記第二のスキームに従う２つの連続する極性の反転の間のフレーム周期の数は、予め決定された上限よりも小さく、前記上限は、画像データ分析からの結果に依存する、
請求項８記載の方法。
【請求項１１】
前記第二のスキームに従う２つの連続する極性の反転の間のフレーム周期の数は、予め決定された下限よりも大きく、前記下限は、画像データ分析からの結果に依存する、
請求項８又は１０記載の方法。
【請求項１２】
複数のピクチャセルを有する表示装置であって、
前記複数のピクチャセルに関連する画像データを有する画像信号を受信する手段と、前記画像データは、フレームで時間的に配列されており、
少なくとも前記画像データに依存して、前記複数のピクチャセルにおけるそれぞれのピクチャセルにわたるそれぞれの電場を制御する手段とを有し、
前記制御手段は、
第一の極性の反転スキームに従って、極性の反転が規則的なインターバルで生じるように、電場の極性を制御する手段と、前記規則的なインターバルは、固定された整数のフレーム周期であり、
前記第一の極性の反転スキームと共存する第二の極性の反転スキームに従って、極性の反転が擬似ランダムなインターバルで生じるように電場の極性を制御する手段と、前記擬似ランダムなインターバルは、それぞれ整数のフレーム周期である、
ことを特徴とする表示装置。
【請求項１３】
多数のフレーム間で計算された相関値の形式での結果を出力するために構成される、画像データを分析するための手段を有し、
前記第二のスキームに従う２つの連続する極性の反転の間のフレーム周期の数は、画像データを分析する手段から出力される結果に依存する、
請求項１２記載の表示装置。
【発明の詳細な説明】
【技術分野】
【０００１】
本発明は、表示装置のピクチャセルにおける望まれない電荷の蓄積を回避するための表示装置、及び表示装置を制御する方法に関する。
【背景技術】
【０００２】
液晶ディスプレイ（ＬＣＤ）装置におけるピクチャセルは、セルにわたる電場の強度に依存したそれらの透過特性を取得する。それぞれのセルにわたる電場は、画像ソースから供給された画像データ信号の内容に依存している。画像データ信号のデータは、画像データの連続的なシーケンスブロックに時間的に配置され、それぞれのデータブロックは、規則的なリフレッシュインターバルでそれぞれのセルにわたり印加される電圧値に対応するそれぞれのセルのデータ値を含む。典型的に、画像データのブロック及びリフレッシュインターバルは、画像フレーム及びフレーム周期と呼ばれることがある。
【０００３】
原理的に、ピクチャセルの透過特性は、セルにわたる電場の方向、すなわち電場の極性に独立している。しかし、数フレーム期間の周期の間、バイアス電荷の蓄積が生じ、セルにわたるバイアスの電場となる。かかるバイアスの電場は、セルの透過特性を変えるために望まれない。
【０００４】
このバイアス電場の蓄積を克服するため、セルにわたる電場の極性は、典型的にはフレーム周期毎である規則的なインターバルで反転され、いわゆる極性の反転スキームを定義する。このスキームは、長期的な観点で、セルにおける電荷のバイアスの蓄積なしで、本質的にゼロである電場の平均となる。ピクチャセルのマトリクスを有する表示装置では、この極性の判定スキームは、たとえば列毎に又は行毎に反転が行われるように、通常空間的なコンフィギュレーションを含む。すなわち、偶数番号のフレームの間、偶数番号の列及び行のピクチャセルには、第一の方向の極性を有する電場が供給され、奇数番号の列及び行のピクチャセルには、第二の方向の極性を有する電場が供給される。奇数番号のフレームの間、極性の反転が行われ、偶数番号の行及び列のピクチャセルには、第二の方向の極性を有する電場が供給され、奇数番号の列及び行には、第一の方向の極性を有する電場が供給される。
【０００５】
通常、かかる反転スキームを利用する従来の装置は、画像データ信号が反転スキームの周期に多かれ少なかれ等しい周期をもつ巡回的な変化を有する画像データを含まないときには、満足のいく実行が行われる。しかし、かかる通約性が存在するとき、電荷の蓄積の問題が存在する。かかる画像コンテンツの１つの例は、デインタレースされた画像データ、すなわちプログレッシブ画像フレームに結合されている画像データの２以上のサブフィールドから構成される画像データのフレームである。いうまでもなく、たとえばＬＣＤ装置にテレビジョン標準（たとえばＰＡＬ）信号を幼児するときに、デインタレースされた画像データは広く使用されている。反転スキームに対応する画像データの別の例は、回転するシンボル“rotating  symbols”、及び今日のテレビジョンプログラムで一般的なティッカーテープ“ticker  tape”である。
【０００６】
欧州特許明細書ＥＰ６８６９５８では、デインタレースされた画像データをＬＣＤに表示するときＤＣ蓄積の問題を克服するのを狙いとする、表示装置及び表示パネルを駆動する方法が記載されている。極性の反転のリバーサルは、フレーム周期毎に反転されることに加えて、極性がｎフレーム周期毎に反転され、ｎがフレーム周期の予め決定された数であるように制御される。
【０００７】
ＥＰ６８６９５８号で開示されるソリューションによる問題は、先に説明されたような回転するシンボル及び「ティッカーテープ」のような、ＤＣビルドアップを引き起こす他の画像コンテンツを扱うことにおいて困難さを有する。
【発明の開示】
【課題を解決するための手段】
【０００８】
本発明の目的は、従来技術の表示装置に関連する問題点を克服することにある。  
上記目的は、請求項１に記載の方法及び請求項１１に記載の装置により達成される。
【０００９】
本発明の第一の態様によれば、複数のピクチャセルを有する表示装置を制御する方法は、以下のステップを含む。前記複数のピクチャセルに関連する画像データを有する画像信号を受信するステップ。前記画像データは、フレームで時間的に配列される。少なくとも前記画像データに依存して、前記複数のピクチャセルにおけるそれぞれのピクチャセルにわたるそれぞれの電場を制御するステップ。この制御するステップは、以下のステップを含む。第一の極性の反転スキームに従って、極性の反転が規則的なインターバルで生じるように、電場の極性を制御するステップ。前記規則的なインターバルは、固定された整数のフレーム周期である。前記第一の極性の反転スキームと共存する（concurrent  with）第二の極性の反転スキームに従って、極性の反転が擬似ランダムなインターバルで生じるように電場の極性を制御するステップ。前記擬似ランダムなインターバルは、それぞれの整数のフレーム周期である。
【００１０】
係る制御方法を導入することで、すなわち規則的な巡回的な反転スキームに位相変化を追加して、たとえばデインタレースされた画像、並びに回転するシンボル及びティッカーテープを有する画像による、ＤＣビルドアップの問題点を克服することが可能である。これは、多様な画像データの良好な結果を提供する観点で、本発明を更に多様にするといった利点である。
【００１１】
更なる利点は、好適な実施の形態で得られ、第二のスキームに従って２つの連続する極性の反転の間でフレーム周期の数は、予め決定された上限よりも低い。これは、規則的な巡回式の反転スキームの固定された位相関係が有限時間で常に破壊されることを保証する。
【００１２】
さらに、更なる利点は好適な実施の形態で得られ、第二のスキームに従って２つの連続する極性の反転の間のフレーム周期の数は、予め決定された下限値よりも大きい。これは、即座のサクセション、すなわちあるフレーム周期から次のフレーム周期で、反転の位相の２以上の変化がないこと保証するものであり、個々のピクチャセルが、電場の１つの極性をもつ３以上のフレーム期間を受けるのを防止する。
【００１３】
更なる実施の形態では、第二のスキームに従って２つの連続的な極性の反転の間のフレーム周期の数は、偶数である。これは、個々のピクチャセルが、第一の方向を有する電場と第二の方向を有する電場とのそれぞれによる等しい数のフレーム周期を受けることが保証される。より一般的な観点では、好適な実施の形態は、第二の極性の反転スキームが、多数のフレーム周期を考慮して、第一の方向における擬似ランダム極性の反転の数が、第一の方向に反対の第二の方向における擬似ランダム極性の反転の数に実質的に等しいように実現される。好ましくは、第二のスキームに従って、２つの連続する極性の反転の間のフレーム周期の数は、インターバル４〜３６００であり、より好ましくはインターバル６０〜６００にある。
【００１４】
画像は、余分の位相ジャンプを加えるか否かを選択的に判定することで更に改善される。したがって、更なる改善は、以下のステップを含む好適な実施の形態で得られる。画像データを分析し、多数のそれぞれのフレームペア間の少なくとも計算された相関値が得られる。ここで第二のスキームに従って２つの連続する極性の反転の間でフレーム周期の数は、画像データ分析からの結果に依存する。
【００１５】
画像データを分析するステップを導入することで、フレーム間の相関値が得られ、現在表示されている特定のタイプの画像データに反転スキームを適合することが可能である。これは、たとえば画像系列におけるシーン変化といった、反転スキームの変化を許容し、これにより、反転が生じたときに視聴者により知覚されるような画像のフリッカを隠すという利点がある。
【００１６】
第二のスキームに係る２つの連続する極性の反転の間のフレーム周期の数は、１実施の形態では、本質的に無限の数に設定され、これにより第二の反転スキームを本質的にディスエーブルにする。これは、たとえば、擬似ランダム反転スキームが、表示された画像の低周波フリッカのような目に見える影響を導入したことが発見され、画像コンテンツがＤＣビルドアップが生じないようなものである場合に有利である。
【００１７】
さらに、好適な実施の形態では、画像データ分析からの結果を利用する方法は改善され、第二のスキームに従って２つの連続な極性の反転間のフレーム周期の数は、予め決定された上限値よりも低く設定され、上限値は、画像データ分析からの結果に依存する。第二のスキームに従って２つの連続する極性の反転の間のフレーム周期の数は、予め決定された下限値よりも大きく設定され、この下限値は、画像データ分析からの結果に依存する。
【００１８】
なお、用語フレームは、画像データのブロックを説明するためにここでは使用され、それぞれのデータブロックは、規則的なリフレッシュインターバルでそれぞれのセルにわたり印加される電圧値に対応するそれぞれのセルについてデータ値を含む。
【発明を実施するための最良の形態】
【００１９】
以下では、図１ａにおける矢印１０２，１０４により示されるように、１０行１０列で配置される１００のピクチャセル（又はピクセル）を有する、多数の画像データは概念的に例示される。図１〜図４の画像データフレームでは、点線パターンを含むピクチャセルは、明るい画素（視聴者により知覚される）を示し、ホワイトセルはダークピクセルを表す。プラス（＋）符号は、正の駆動レベルを表し、すなわち共通の電圧レベルと画像データ信号における画素のデータを表す電圧レベルとの合計を表す。マイナス（−）符号は、負の駆動レベル、すなわち共通の電圧レベルと画像データ信号における画素のデータを表す電圧レベルとの間の差を表す。
【００２０】
ＬＣＤピクチャセルは、セルにわたる電場の強度に依存して、すなわち電場の極性に関わらずにその透過を変える。ＬＣＤに関連する公知の問題は、長期にわたる電圧バイアスにより、その自然の状態からドリフトするセルが生じることである。これを補償するため、ＬＣＤは、画素反転により通常は駆動される。すなわち、それぞれの画素は、正のデータ電圧で１画像フレームの間に駆動され、負のデータ電圧で次の画像フレームの間に駆動される。結果として、セルにわたる長期間の電圧は、同じデータレベルが長い期間について印加されたときに平均的な値に落ち着く。たとえば２つの反転フェーズの間のセルトランスミッションにおける可能性のある僅かな差の可視性を低減するため、この反転は、画素毎に、及びライン毎に通常は行われ、全体の反転は、それぞれのフレームの間に印加される。このように、空間的な変動がキャンセルされる。図１ａ及び図１ｂは、この状況を例示しており、画像フレームＮの間、正及び負の駆動レベルの分布は図１ａに示され、画像フレームＮ＋１の間、正及び負の駆動レベルの分布は、図１ｂに示される。図１ａで正の駆動レベルを有するピクチャセルは、図１ｂで負の駆動レベルを有し、逆も当てはまる。
【００２１】
これらのスキームのバリエーションが知られている。たとえば、当業者が認識されるように、２×２、行又は列のような他のセルのグルーピングを利用することもできる。  
この極性反転スキームが適用されないとき、時間を通して電荷がセルに蓄積され、後の使用における駆動レベルへのオフセットを引き起こし、イメージリテンションとして画像において反映される。さらに、長時間の間に電荷が蓄積されたとき、ＬＣピクチャセルが、リカバーすることなしに損傷される場合さえある。
【００２２】
典型的に、従来のＬＣＤパネル及びＬＣＤ駆動回路は、上述されたような反転スキームを使用している。このスキームは一般に非常に良好に機能するが、幾つかの特定の、規則的に生じるイメージコンテンツを扱うことができない。このイメージコンテンツの例は、インタレースイメージコンテンツ、回転するシンボルのようなイメージコンテンツ、今日のＴＶ番組で一般的であるティッカーテープを含む。
【００２３】
ここで図２ａ〜図２ｄを参照して、インタレースイメージマテリアルにおけるファインな水平ラインによる電荷のビルドアップが説明される。  
インタレース画像データの個別のフィールドは、ＬＣＤパネルが視聴者に全体の画像を与える前に、デインタレースされる必要がある。これは、ＬＣＤパネルがそれぞれのインタレース画像フィールドに存在する奇数又は偶数の行のみではなく、全ての行についてデータを必要とするためである。広く使用される方法は、プログレッシブ画像が得られるように、入力（インタレース）画像フィールドにおけるそれぞれのラインが繰り返されるラインの繰り返しを使用することである。更なる改善は、インフィールドスケーリングを使用することであり、このインフィールドスケーリングは、幾分良好な結果を与えるが、明確さ及び簡略さのために、インフィールドスケーリングは、ライン繰り返しの類似の（基本的にぼやけた／平滑化された）バリエーションとして見ることができる。デインタレースプロセスの結果として、ラインは、画像Ｎ及びＮ＋２におけるＬＣＤパネルで提供される画像フレームにおいて２倍の高さ（行７及び８）で目に見ることができる。このラインのエリアにおける画素について、この結果は、セルにわたり非ゼロの平均電圧となる。たとえば、図２ａ〜図２ｄにおける円の画素、すなわち行７、列８により定義される位置にある画素を考えると、０．５*（（Ｖc＋Ｖdata−Ｖc）+Ｖc−Ｖc）＝０．５*ＶdataＶのセルにわたり平均電圧を有し、たとえば行４における画素は、０Ｖの有効な平均電圧となっている。ここで、Ｖcは共通の電圧レベルを示し、Ｖdataはデータを表す電圧レベルを示す。
【００２４】
別の説明は、回転のシンボル及びティッカーテープのようなイメージコンテンツであり、精密な垂直ラインの移動するグリッドとして更に簡単に表されている。これは、図３ａ〜図３ｄで例示されている。図３ａにおける矢印により示されるように、グリッドが画像フレーム当たり１画素で右に移動するとき、たとえば円内のセルにわたる平均電圧は、ゼロではないが、０．５*ＶdＶである。
【００２５】
本発明は、擬似ランダム的に反転スキームの位相を反転させることで、すなわち、規則的に発生する反転に固執するよりはむしろ、時間的にランダムに選択された瞬間で同じ反転フェーズを繰り返すため、これらの問題を克服する方法を導入する。これは、ダイナミックビデオコンテンツが反転スキームと同位相にあるとき、上述された問題が生じるという観察により動機付けされる。
【００２６】
これは、典型的に、ディスプレイのアップデート周波数（フレームレート）よりも数１０〜数１００倍低速である、低周波でランダムな瞬間での極性の反転の位相を変えることで対抗することができる。
【００２７】
典型的に、望まれない電荷の構築は、６０Ｈｚリフレッシュレートが使用されるときに３６００フレーム周期を意味する、１分のオーダでのタイムスケールの知覚可能となるレベルに到達する。位相反転の間のフレーム周期の数に関する下限は、フリッカの可視性により決定される。６０Ｈｚのリフレッシュレートを想定すると、これは、最短の時間期間が４フレーム周期に対応することを意味し、１Ｈｚ（すなわち５０〜６０フレーム）又はそれよりも低いレートであるときにフリッカが目に見えないことが想定される。したがって、２つの位相変化の間のフレーム周期の数の好適なレンジは、４〜３６００であり、より好適には、６０〜６００のより狭いレンジである。
【００２８】
図４ａ〜図４ｈでは、本発明に係る反転スキームの作用は、デインタレースされた画像フレームにおける水平ラインについて示されており、反転スキームは、画像フレームＮ＋３と画像フレームＮ＋４との間で反転され、すなわち、フレームＮ＋４の反転位相は、判定である代わりに、前のフレームＮ＋３について同じである。これは、０Ｖのセルにわたり駆動電圧の全体の平均となる。
【００２９】
反転位相の変化は、多様なタイプのイメージコンテンツについて最もロバストなソリューションであるので、好ましくは、ランダムに行われるか、又はむしろ擬似ランダムに行われる。従来技術のソリューションにおけるように、固定された反転の変化の周波数は、反転スキーム、駆動レベル及び動的なイメージコンテンツ間の有害な位相の関係により、特定のタイプの画像について存在するアーチファクトとなる可能性が最も高い。
【００３０】
別の実施の形態は、位相の擬似ランダム変化が制御される実施の形態であり、２つの連続する位相変化の間のフレーム数に対する上限が存在する。これは、固定された位相の関係が有限の時間で常に壊されることを保証する。また、下限は、（連続して同じ電圧の３倍を見る画素につながる、すなわち再び反転される前に、“＋＋＋”又は“−−−”電圧系列の画素につながる）即座のサクセションにおける２つの位相ジャンプが存在しないことを保証する。
【００３１】
更なる実施の形態は、ゼロ電荷の蓄積が長時間の周期にわたり保持されるやり方で、位相の擬似ランダム変化が制御される実施の形態である。所与の時間を通して、ある画素について正及び負のドライブの等しい数の発生を保証することで、これが達成される。
【００３２】
フレームｎについて基本的な反転スキームとしてｆ（ｎ）を定義し、
ｆ（ｎ）＝（−１）ｎ
とする。この式は、ピクチャセルの駆動回路により課される正（＋１）又は負（−１）のドライブについての選択を意味する。
【００３３】
反転スキームｆ’（ｎ）は、ｆ’（ｎ）＝ｇ（ｎ）・ｆ（ｎ）により与えられるランダムジャンプｇ（ｎ）で定義される。
【００３４】
ランダムジャンプ機能は、反転スキームを保持するために値（＋１）を取り、反転スキームを「反転」するために（−１）を取る。これは、反転制御である。スキームにおけるジャンプは、ｇ（ｎ）が（＋１）から（−１）に進むときに生じ、逆も当てはまる。
【００３５】
ＤＣドリフト（電荷の蓄積）が静止画像について発生しないことを保証するため、ランダムジャンプｇ（ｎ）は、長時間にわたり
【００３６】
【数１】
2008511855.tif 000003
を満たすために制御され、ゼロから余りに離れてドリフトしないように制御される。
【００３７】
これを実現するための１つの非常に容易な方法は、偶数フレームの後にのみ反転におけるジャンプを生じさせることによる。このように、等しい数の正及び負のドライブが保証される。
【００３８】
更なる実施の形態は、ゼロ電荷の蓄積が長期にわたり維持されるように、より一般的には多様なダイナミックコンテンツについて、擬似ランダムな位相の変化が制御されることである。
【００３９】
繰り返しレート２によるダイナミックイメージ（たとえば、デインタレースマテリアル）についてＤＣドリフトが発生しないことを保証するため、ランダムジャンプｇ（ｎ）は、長時間にわたり
【００４０】
【数２】
2008511855.tif 000004
を満たすために制御され、ゼロから余りに離れてドリフトしないように制御される。
【００４１】
同様に、電荷の蓄積が他の（共通の）繰り返しレートによるダイナミックイメージについて発生しないように、さらに、
【００４２】
【数３】
2008511855.tif 000005
を満たすように、ランダムジャンプｇ（ｎ）が制御される。これを実現するための１つのやり方、Ｆstatic，Ｆ2，Ｆ3，．．．の値を計算する多数のカウンタを実現し、それらの値に基づいて、又はゼロからのドリフトに基づいて、反転スキームにおけるジャンプの確立に影響を及ぼす（又は強制する）ことである。
【００４３】
これらの方法は、電荷の蓄積問題を低減する。しかし、反転のスキップ（すなわち、ランダムな位相ジャンプ）は、視聴者にとって目に見える。位相ジャンプの間の時間インターバルに依存して、これは、低周波フリッカ又は画像における明るさのバリエーションとしてみることができる。
【００４４】
本発明は、反転スキームで位相ジャンプを行う必要があるかを検出することで、好適な実施の形態でこの問題を解決する。これは、インタレースされた信号（又は「不完全な」コンテンツを有する画像フレーム）が存在するか否かに依存して位相ジャンプを選択的にディスエーブルにすることで達成される。
【００４５】
メモリレスのデインタレーサを有するディスプレイによるケースをはじめに考える。インタレースソースがたとえばＰＡＬソースといったＬＣＤ（ＴＶ又はモニタ）に接続されるケースでは、余分の位相ジャンプを追加することが必要である。また、プログレッシブイメージが、たとえばＰＡＬ信号を通したオンスクリーンディスプレイ（ＯＳＤ）といったインタレース信号のトップに重ね合わされるケースでは、余分の位相ジャンプは、反転スキームに追加される。
【００４６】
プログレッシブソースが存在するケースでは、信号が良好であること、すなわち上述された極性反転スキームにおける位相ジャンプにより補正を必要とせず、余分の位相ジャンプがディスエーブルにされるか、若しくは、マテリアルが不完全なデインタレーサでひとたびインタレースされているか、又は「不完全なコンテンツ“bad  content”」を含むかを判定するために検出が行われるか、のいずれかが想定される。これは、たとえば、１以上のライン（又はラインの強度の合計）をメモリに記憶することで行われ、幾つかのフレームを通してコンテンツを比較する。次いで、検出は、たとえばフレームｉのコンテンツがフレームｉ＋２よりもフレームｉ＋１とより相関されるかを判定するために行われる。このように、長時間のスケールにわたる相関が検出される。画像が粗悪にデインタレースされている（又は不完全なコンテンツを含む）ことが検出された場合、余分の位相ジャンプが反転スキームで適用され、さもなければ余分の位相ジャンプがディスエーブルにされる。
【００４７】
代替的に、位相ジャンプを完全にディスエーブルにする代わりに、位相ジャンプの間の時間を増加することが可能であり、より一般的には、計算された相関値に依存するとして、位相ジャンプの間の周期を設定することが可能である。
【００４８】
フィールド挿入を実行するメモリベースのデインタレーサのような良好なデインタレーサを有する表示装置について、このスキームは、幾つかの変更で適用される。インタレースソースがＬＣＤ（ＴＶ）に接続されるケースでは、ノーマルデインタレーサが使用され、これは任意の問題を生じることはなく、したがって余分な位相ジャンプをディスエーブルにすることができる。不完全なコンテンツが画像フレームに存在するか否かについて検出が行われる。不完全なコンテンツが存在する場合、位相ジャンプが予防策として追加することができる。しかし、不完全なコンテンツは、デインタレーサを通過する必要があり、これは問題を低減するため、問題を引き起こす可能性がない。
【００４９】
上述のように、プログレッシブソースが存在する場合、信号が良好であって、余分な位相ジャンプがディスエーブルにすることができるか、若しくは、画像が不完全なデインタレーサでひとたびデインタレースされたか、又は不完全なコンテンツを含むかを判定するために検出が行われる。画像が粗悪にデインタレースされたか、又は不完全なコンテンツを含む場合、信号は、「良好な」デインタレーサで改善されるか、又は反転スキームにおける余分の位相ジャンプを適用することができる。
【００５０】
なお、位相ジャンプの可視性を最小にするため、画像系列における画素間のシーン変化で適用されることが好ましい。これは、イメージコンテンツがあるシーンから次のシーンに変化する可能性があるので、一見して不必要に思われるが、チャネルロゴのようなティッカーテープ又は小さなシンボルは、シーン変化の前後で画像に存在する。また、余分の位相ジャンプは、偶数番号のフレーム（ｎが偶数）で発生することが好ましい。
【００５１】
本発明に係るＬＣＤ装置５００のブロック図は、図５に示される。ＬＣＤパネル５０１のピクチャセル５０２は、列駆動回路５０３及び行駆動回路５０５からのそれぞれの駆動電圧が供給される。駆動回路５０３，５０５のデータは、画像データ処理回路５０７により供給され、この処理回路は、入力処理回路５０９により選択されたとき、選択可能な画像データ信号源５１３，５１５，５１７から画像データを受ける。画像データ信号源５１３，５１５，５１７は、当該技術分野で知られる任意の種類のソースであり、ＰＡＬ及びＮＴＳＣのようなインタレース信号、ノンインタレース、すなわちＤＶＩのようなプログレッシブ信号を含む。
【００５２】
入力処理回路５０９は、入力信号を分析し、信号がデインタレースされるべきか否かを判定する。この判定は、上述されたように、入力信号の信号タイプコンテンツに関する情報に基づいており、同様に、画像データ処理回路５０７に存在するデインタレーサのタイプに基づいている。
【００５３】
また、入力処理回路５０９は、入力信号を分析し、極性の反転制御が列駆動回路５０３及び行駆動回路５０５により実行されるべきか否かを判定する。反転制御は、入力信号のタイプ及びコンテンツ、並びに存在するデインタレーサのタイプにより決定される。
【００５４】
したがって、概説すると、複数のピクチャセルを有する表示装置は、規則的な巡回型の反転スキームに位相変化を追加することで制御される。これにより、たとえばデインタレース画像及び回転するシンボル及び「ティッカーテープ」を含む画像によるＤＣビルドアップの問題点を克服することが可能である。制御は、ピクチャセルに関連する画像データを有する画像信号を受信することを含む。電場の極性が規則的なインターバルで極性の反転が生じるような第一の極性反転スキームに従って、電場の極性が擬似ランダムなインターバルで極性の反転が生じるような、第一の極性反転スキームと共存する第二の極性反転スキームに従って、それぞれのピクチャセルにわたるそれぞれの電場は、少なくとも画像データに依存して制御される。
【００５５】
本発明は特定の例示的な実施の形態を参照して記載されたが、多くの異なる代替、変更等は、当業者にとって明らかとなるであろう。記載された実施の形態は、特許請求の範囲により定義されるような本発明の範囲を制限することが意図されない。
【図面の簡単な説明】
【００５６】
【図１】図１ａ及び図１ｂは、公知の極性反転スキームを利用する表示装置におけるピクチャセルの極性の分布を概念的に例示する図である。
【図２】図２ａ〜図２ｄは、デインタレース画像データとの問題を説明する、公知の極性反転スキームを利用する表示装置におけるピクチャセルの極性の分布を概念的に例示する図である。
【図３】図３ａ〜図３ｄは、規則的に変化する画像コンテンツとの問題を説明する、公知の極性反転スキームを利用する表示装置におけるピクチャセルの極性の分布を概念的に例示する図である。
【図４】図４ａ〜図４ｈは、デインタレース画像データによる本発明に係る極性反転スキームを利用する表示装置におけるピクチャセルの極性の分布を概念的に例示する図である。
【図５】本発明に係る表示装置の概念的なブロック図である。
【図１】
2008511855.tif 000006
【図２】
2008511855.tif 000007
【図３】
2008511855.tif 000008
【図４】
2008511855.tif 000009
【図５】
2008511855.tif 000010
【国際調査報告】
2008511855.tif 000011
2008511855.tif 000012